(57)【特許請求の範囲】
【請求項１】
棟部を跨いで取付けられる通気棟カバーが外部部材と一対の内部部材とを有し、外部部材を略山型の上面部の軒側両端部に立ち上げ片をそれぞれ形成し、中間立ち上げ片の下端から軒側部位を突出すると共に中間立ち上げ片の上端から棟側部位を突出して内部部材をＳ字状に形成し、棟部に設けた一対の棟桟の上面に各内部部材の上記軒側部位の下面を載置して各内部部材の軒側端部を外部部材の各立ち上げ片に沿わせて配置し、各内部部材の棟側部位の上面部を外部部材の上面部の下面にそれぞれ固着し、内部部材の中間立ち上げ片より下方に位置する外部部材の下り傾斜する上面部に通気用孔を形成し、内部部材の軒側端部の下端と外部部材の立ち上げ片とに連通する排水口を形成し、通気用孔の内部棟側に内部棟側への雨水の浸入を阻止する第１の阻止片が設けられ、通気棟カバーの内部で第１の阻止片の下方に上記通気用孔から浸入する雨水を棟側内部に浸入するのを阻止する第２の阻止片が設けられ、この第２の阻止片を内部部材の中間立ち上げ片で構成して成ることを特徴とする棟部の換気構造。
【請求項２】
第１の阻止片は、通気棟カバーを通気用孔の棟側縁部において切り起こして形成され、切り起こし角度は鋭角になされて成ることを特徴とする請求項１記載の棟部の換気構造。
【請求項３】
第２の阻止片は第１の阻止片よりも棟側に配置して成ることを特徴とする請求項１記載の棟部の換気構造。
【請求項４】
第１及び第２の阻止片の棟側には一つ又は複数の阻止片が設けられて成ることを特徴とする請求項１の棟部の換気構造。
【請求項５】
棟部の屋根瓦の表面に当接して屋根瓦を伝って通気棟カバーに雨水が浸入するのを阻止する棟部面戸及び通気棟カバーが棟桟に取付けられて成ることを特徴とする請求項１記載の棟部の換気構造。
【発明の詳細な説明】
【０００１】
【発明の属する技術分野】
本発明は、棟部の換気構造に関し、詳しくは、棟部の換気を良好におこないながら通気用孔から雨水が棟側内部に浸入するのを効果的に防止しようとする技術に係るものである。
【０００２】
【従来の技術】
従来、例えば、金属製の屋根瓦を葺設する場合に、屋根瓦の下面側に通気路を形成し、熱気を通気路をへて棟部において外部に導出して屋根瓦の昇温を抑制している。
【０００３】
【発明が解決しようとする課題】
ところで、このように棟部において換気を図る際に、通気棟カバーを棟部を跨いで設け、通気棟カバーに通気用孔を形成し、通気用孔から熱気をカバー外部に排気するものであるが、通気用孔から雨水が内部に浸入しやすいものである。
【０００４】
本発明はこのような問題に鑑みてなされたものであり、棟部の換気を良好におこないながら通気用孔から雨水が棟側内部に浸入するのを効果的に防止することができる棟部の換気構造を提供することを課題とするものである。
【０００５】
【課題を解決するための手段】
請求項１においては、棟部を跨いで取付けられる通気棟カバー３３が外部部材３４と一対の内部部材３５とを有し、外部部材３４を略山型の上面部５６の軒側両端部に立ち上げ片５７，５７をそれぞれ形成し、中間立ち上げ片６１の下端から軒側部位を突出すると共に中間立ち上げ片６１の上端から棟側部位を突出して内部部材３５を略Ｓ字状に形成し、棟部に設けた一対の棟桟３２の上面に各内部部材３５の上記軒側部位の下面を載置して各内部部材３５の軒側端部を外部部材３４の各立ち上げ片５７に沿わせて配置し、各内部部材３５の棟側部位の上面部を外部部材３４の上面部５６の下面にそれぞれ固着し、内部部材３５の中間立ち上げ片６１より下方に位置する外部部材３４の下り傾斜する上面部５６に通気用孔３８を形成し、内部部材３５の軒側端部の下端と外部部材３４の立ち上げ片５７とに連通する排水口５９を形成し、通気用孔３８の内部棟側に内部棟側への雨水の浸入を阻止する第１の阻止片５０が設けられ、通気棟カバー３３の内部で第１の阻止片５０の下方に上記通気用孔３８から浸入する雨水を棟側内部に浸入するのを阻止する第２の阻止片５３が設けられ、この第２の阻止片５３を内部部材３４の中間立ち上げ片６１で構成していることを特徴とするものである。このような構成によれば、通気棟カバー３３の通気用孔３８より熱気を外部に導出して棟部における換気を図ることができながら、通気用孔３８から浸入した雨水を軒側両側部の立ち上げ片５７に形成した排水口５９より排水することができ、通気用孔３８の内部棟側に設けられて第１の阻止片５０によって通気用孔３８から雨水が内部棟側に浸入するのを防止することができ、かつ、第１の阻止片５０の下方に形成した第２の阻止片５３によっても内部棟側への雨水の浸入を阻止することができる。
【０００６】
請求項２においては、第１の阻止片５０は、通気棟カバー３３を通気用孔３８の棟側縁部において切り起こして形成され、切り起こし角度θは鋭角になされていることを特徴とするものである。このような構成によれば、通気用孔３８の棟側縁部においては、第１の阻止片５０が通気用孔３８に向けて鋭角に切り起こされていることから、第１の阻止片５０によって通気用孔３８から棟側への雨水の浸入を確実に阻止することができる。
【０００７】
請求項３においては、第２の阻止片５３は第１の阻止片５０よりも棟側に配置していることを特徴とするものである。このような構成によれば、棟側における第２の阻止片５３によって、雨水の浸入を、一層、防止することができる。
【０００８】
請求項４においては、第１及び第２の阻止片５０、５３の棟側には一つ又は複数の阻止片５４、５５が設けられていることを特徴とするものである。このような構成によれば、雨水の浸入を、一層、防止することができる。
【０００９】
請求項５においては、棟部の屋根瓦１の表面に当接して屋根瓦１を伝って通気棟カバー３３に雨水が浸入するのを阻止する棟部面戸５１及び通気棟カバー３３が棟桟３２に取付けられているから、請求項１の効果に加えて、通気棟カバー３３及び棟部面戸５１との位置決め精度を高めることができ、棟部面戸５１による雨水浸入防止機能を高めることができるという利点がある。
【００１０】
【発明の実施の形態】
以下、本発明の実施の形態を説明する。図１は棟部の概略断面図である。図２は通気棟カバーの部分概略断面図である。図３は軒先部の概略断面図である。
【００１１】
垂木２０の上に野地板２１が敷設された屋根下地３の上にアスファルトルーフィング１９が敷設され、その上から横桟材１７が屋根瓦１の棟軒方向の間隔に略等しい間隔を隔てて釘打ち等にて固定される。
【００１２】
軒先瓦５及び屋根瓦１は、例えば、金属製であり、山９と谷１０が形成された波付け瓦１１であり、図６に示すように、棟側に係止段部２４が形成され、軒側に覆い段部３０が形成されている。
【００１３】
軒先瓦５及び屋根瓦１の下面には、例えば、耐熱性、断熱性及び自己消火性を備えた合成樹脂発泡体のバックアップ材１２を敷設される。バックアップ材１２の表面の形状は波付け瓦１１の山９と谷１０の下面に略合致するように山部１３と谷部２５が形成されている。
【００１４】
軒先瓦面戸４は正面視において山と谷が交互に形成されていて軒先瓦５の先端下面に沿うように敷設され、軒先瓦５の軒側の下面開口を閉塞するものである。軒先瓦面戸４には固定片２６が形成され、水返し２９が形成されている。
【００１５】
軒先部の施工は以下のようにおこなわれる。図３、図４及び図１０（ａ）に示すように、軒先部において屋根下地３上に軒先桟木２７を固定し、軒先桟木２７及び当木２８に軒先瓦面戸４を当接させて固定片２６において釘打ちして固定する。バックアップ材１２を下に敷きながら軒先瓦５を棟側の係止段部２４を横桟材１７に係止するともに吊子２２を載せて釘打ちにて固定する。軒先瓦５の軒先部は軒先部軒先瓦面戸４にて支持される。軒先瓦５の係止段部２４の上に屋根瓦１の覆い段部３０が係合して屋根瓦１が葺設される。屋根瓦１の下面にバックアップ材１２が敷設される。
【００１６】
棟側の施工は以下のようにおこなわれる。図１、図２及び図１０（ｂ）に示すように、棟側の横桟木１７に屋根瓦１の係止段部２４が係止され、係止段部２４の上に下面が凹凸形状に形成された合成樹脂製面戸３１が載置されて合成樹脂製面戸３１の上面によって平坦な面を現出する。合成樹脂製面戸３１の上に棟桟３２を載置して棟桟３２を横桟木１７に釘打ち固定する。
【００１７】
図２に示すように、通気棟カバー３３は、上面部５６が略山型に形成され、軒側両端部に立ち上げ片５７、５７が形成され、立ち上げ片５７の下端より斜め下降に傾斜する傾斜片５８が延出された外部部材３４と、外部部材３４にリベット３７にて固定される略Ｓ字状の内部部材３５と、内部部材３５にスポット溶接される下部部材３６とから構成されている。棟部の屋根瓦１の表面に当接して屋根瓦１を伝って通気棟カバー３３に雨水が浸入するのを阻止する棟部面戸５１及び通気棟カバー３３が釘６０にて棟桟３２に固定される。
【００１８】
外部部材３４の上面部５６に通気用孔３８が形成され、内部部材３５の中間立ち上げ片６１に通気孔６２が形成され、内部部材３５と下部部材３６との棟側部分に通気導入部６３が形成されて、屋根瓦１の下面側の通気路２からの熱気を導入して通気孔６２及び通気用孔３８から外部へと排気するようにしている。
【００１９】
外部部材３５の立ち上げ片５７及び内部部材３５の立ち上げ片部６４に排水口５９、５９が形成されて通気用孔３８から浸入した雨水を外部に排水するようにしている。
【００２０】
通気用孔３８の内部棟側に内部棟側への雨水の浸入を阻止する第１の阻止片５０が切り起こしにて形成されている。内部部材３５の中間立ち上げ片６１が第２の阻止片５３となって、第１の阻止片５０の下方に上記通気用孔３８から浸入する雨水を棟側内部に浸入するのを阻止する第２の阻止片５３が設けられている。
【００２１】
しかして、通気棟カバー３３の通気用孔３８より熱気を外部に導出して棟部における換気を図ることができながら、通気用孔３８から浸入した雨水を軒側両側部の立ち上げ片５７に形成した排水口５９より排水することができ、通気用孔３８の内部棟側に設けられて第１の阻止片５０によって通気用孔３８から雨水が内部棟側に浸入するのを防止することができ、かつ、第１の阻止片５０の下方に形成した第２の阻止片５３によっても内部棟側への雨水の浸入を阻止することができるのである。
【００２２】
第１の阻止片５０は、通気棟カバー３３を通気用孔３８の棟側縁部において切り起こして形成され、切り起こし角度θは鋭角になされていることから、第１の阻止片５０によって通気用孔３８から棟側への雨水の浸入を確実に阻止することができるものである。
【００２３】
この場合、第２の阻止片５３は第１の阻止片５０よりも棟側に配置していることから、棟側における第２の阻止片５３によって、雨水の浸入を、一層、防止することができるものである。
【００２４】
更に、第１及び第２の阻止片５０、５３の棟側には、内部部材３５の棟側の垂下片が第３の阻止片５４となり、下部部材３６の棟側の立ち上げ片が第４の阻止片５５となっている。このように、第１及び第２の阻止片５０、５３の棟側に一つ又は複数の阻止片５４、５５が設けられていることから、雨水の浸入を、一層、防止することができる。
【００２５】
又、棟部の屋根瓦１の表面に当接して屋根瓦１を伝って通気棟カバー３３に雨水が浸入するのを阻止する棟部面戸５１が通気棟カバー３３の下面側において棟桟３２に釘６０にて取付けられていることから、通気棟カバー３３及び棟部面戸５１との位置決め精度を高め、通気棟カバー３３の排水口５９からの雨水が棟部面戸５１により棟側に浸入するのを阻止することができるものである。
【００２６】
ところで、上記バックアップ材１２を利用して軒先瓦５及び屋根瓦１の下面の棟部に通じる通気路２を形成して通気を図るとともに軒先側から通気路２に雨水が浸入しないようにしている。
【００２７】
図７及び図８に示すように、バックアップ材１２の山部１３には切欠き３９、３９が形成されて凸部４０が残されて通気路２が形成されるようにしている。軒先瓦面戸４の山部の上端部には通気孔８が形成されている。
【００２８】
このように、葺設された屋根瓦１の下面側に棟軒方向に延びる通気路２が形成されるのであり、軒先瓦５の先端部の係止段部２４における垂下片６と軒先瓦面戸４との間に通気間隔７が形成されるのであり、垂下片６にて覆われた軒先瓦面戸部分に上記通気路２に連通する通気孔８が形成されるものである。
【００２９】
しかして、屋根瓦１の下面側に形成された通気路２において軒側から棟部に向けて通気を図って、金属製の屋根瓦１の温度上昇を防止しながら、軒先瓦面戸４側の面戸部分に形成した通気孔１２の軒先側には通気間隔７を隔てて軒先瓦５の垂下片６が存在していて、通気孔１２から雨水が吹き込まれることがないものである。
【００３０】
更に、屋根瓦１及び軒先瓦５の下面の山９と谷１０に略合致する断熱性を備えたバックアップ材１２が敷設されるのであり、バックアップ材１２の山部１３に通気路２が形成されるのであり、バックアップ材１２によって断熱性を図るとともに、バックアップ材１２を有効に利用して通気路２が形成されて良好な通気を図ることができ、屋根瓦１の昇温を、一層、抑えることができるものである。
【００３１】
ところで、軒先瓦面戸４の通気孔８には雨水の浸入を防止する切起こし片１６が形成されていることから、切起こし片１６によって通気孔８に雨水が浸入するのを、一層、防止することができるものである。
【００３２】
【発明の効果】
請求項１においては、棟部を跨いで取付けられる通気棟カバーが外部部材と一対の内部部材とを有し、外部部材を略山型の上面部の軒側両端部に立ち上げ片をそれぞれ形成し、中間立ち上げ片の下端から軒側部位を突出すると共に中間立ち上げ片の上端から棟側部位を突出して内部部材をＳ字状に形成し、棟部に設けた一対の棟桟の上面に各内部部材の上記軒側部位の下面を載置して各内部部材の軒側端部を外部部材の各立ち上げ片に沿わせて配置し、各内部部材の棟側部位の上面部を外部部材の上面部の下面にそれぞれ固着し、内部部材の中間立ち上げ片より下方に位置する外部部材の下り傾斜する上面部に通気用孔を形成し、内部部材の軒側端部の下端と外部部材の立ち上げ片とに連通する排水口を形成し、通気用孔の内部棟側に内部棟側への雨水の浸入を阻止する第１の阻止片が設けられ、通気棟カバーの内部で第１の阻止片の下方に上記通気用孔から浸入する雨水を棟側内部に浸入するのを阻止する第２の阻止片が設けられ、この第２の阻止片を内部部材の中間立ち上げ片で構成しているから、通気棟カバーの通気用孔より熱気を外部に導出して棟部における換気を図ることができながら、通気用孔から浸入した雨水を軒側両側部の立ち上げ片に形成した排水口より排水することができ、通気用孔の内部棟側に設けられて第１の阻止片によって通気用孔から雨水が内部棟側に浸入するのを防止することができ、かつ、第１の阻止片の下方に形成した第２の阻止片によっても内部棟側への雨水の浸入を阻止することができるという利点がある。
【００３３】
請求項２においては、請求項１の構成に加えて、第１の阻止片は、通気棟カバーを通気用孔の棟側縁部において切り起こして形成され、切り起こし角度は鋭角になされているから、請求項１の効果に加えて、通気用孔の棟側縁部においては、第１の阻止片が通気用孔に向けて鋭角に切り起こされていることから、第１の阻止片によって通気用孔から棟側への雨水の浸入を確実に阻止することができるという利点がある。
【００３４】
請求項３においては、請求項１の構成に加えて、第２の阻止片は第１の阻止片よりも棟側に配置しているから、請求項１の効果に加えて、棟側における第２の阻止片によって、雨水の浸入を、一層、防止することができるという利点がある。
【００３５】
請求項４においては、請求項１の構成に加えて、第１及び第２の阻止片、の棟側には一つ又は複数の阻止片が設けられているから、請求項１の効果に加えて、雨水の浸入を、一層、防止することができるという利点がある。
【００３６】
請求項５においては、請求項１の構成に加えて、棟部の屋根瓦の表面に当接して屋根瓦を伝って通気棟カバーに雨水が浸入するのを阻止する棟部面戸及び通気棟カバーが棟桟に取付けられているから、請求項１の効果に加えて、通気棟カバー及び棟部面戸との位置決め精度を高めることができ、通気棟カバーに排水口を形成しながら棟部面戸による雨水浸入防止機能を高めることができるという利点がある。
【図面の簡単な説明】
【図１】本発明の実施の形態の棟部の概略断面図である。
【図２】同上の部分概略断面図である。
【図３】同上の軒先部の概略断面図である。
【図４】同上の軒先瓦と屋根瓦との接続箇所の概略断面図である。
【図５】同上の概略断面図である。
【図６】（ａ）は屋根瓦の斜視図、（ｂ）は軒先瓦の斜視図、（ｃ）は軒先瓦面戸の斜視図である。
【図７】同上のバックアップ材の正面図である。
【図８】同上の平面図である。
【図９】同上の横方向の接続状態を示す断面図である。
【図１０】（ａ）は軒先部の概略斜視図、（ｂ）は棟部の概略斜視図である。
【符号の説明】
３３  通気棟カバー
３８  通気用孔
５０  第１の阻止片
５３  第２の阻止片
５９  排水口
【図１】
0003695317.tif 000002
【図２】
0003695317.tif 000003
【図３】
0003695317.tif 000004
【図４】
0003695317.tif 000005
【図５】
0003695317.tif 000006
【図６】
0003695317.tif 000007
【図７】
0003695317.tif 000008
【図８】
0003695317.tif 000009
【図９】
0003695317.tif 000010
【図１０】
0003695317.tif 000011